(57)【要約】【課題】積雪時に光源の光の視認性が低下することを防止した視線誘導灯を提供する。【解決手段】地面から所定の高さ位置に設けれ、視線誘導のための光源を収めたケース１２を有し、ケース１２の上面に、水を透過させないフィルターが設けられた上部貫通孔３０を有する視線誘導灯において、ケース１２の底部を下部閉塞蓋２７で仕切り、下部閉塞蓋２７に下部貫通孔２８を設け、上部貫通孔３０及び下部貫通孔２８のそれぞれに、水蒸気非透過性の上部フィルター３１、下部フィルター２９を設けた。【選択図】図１
2010248809.tif 000002
【特許請求の範囲】
【請求項１】
地面から所定の高さ位置に設けれ、視線誘導のための光源を収めた筒状ケースを有し、この筒状ケースの上面に、水を透過させないフィルターが設けられた貫通孔を有する視線誘導灯において、
前記筒状ケースの底部を仕切板で仕切り、前記仕切板に下部貫通孔を設け、前記貫通孔及び前記下部貫通孔のそれぞれに、水蒸気非透過性のフィルターを設けたことを特徴とする視線誘導灯。
【請求項２】
前記貫通孔の下方からずらした位置に、前記下部貫通孔を設けたことを特徴とする請求項１に記載の視線誘導灯。
【請求項３】
前記筒状ケースを逆円錐形状としたことを特徴とする請求項１又は２に記載の視線誘導灯。
【請求項４】
前記筒状ケースにおける前記光源の光の透過位置に対応する位置に、透光性を有すると共に、前記筒状ケースの外側へ向かって尖った尖端部を有し、上下方向に延在する雪割部を設けたことを特徴とする請求項１又は２に記載の視線誘導灯。
【請求項５】
前記筒状ケースの上方に、上面視において少なくとも前記筒状ケースを覆う傘部を設け、この傘部の下面に前記貫通孔から排出された空気を接触させることを特徴とする請求項１乃至４のいずれかに記載の視線誘導灯。
【請求項６】
前記傘部が円錐形状であることを特徴とする請求項５に記載の視線誘導灯。
【請求項７】
前記筒状ケースに、紫外線カット処理を施したことを特徴とする請求項１乃至６のいずれかに記載の視線誘導灯。
【発明の詳細な説明】
【技術分野】
【０００１】
本発明は、積雪地帯に設置される視線誘導灯に関する。
【背景技術】
【０００２】
従来、道路脇に設けられ、光源から発した光を当該道路を走行する車両の運転手に視認させることにより、当該道路の形状を明示する視線誘導灯が知られている（例えば、特許文献１参照）。この種の視線誘導灯では、積雪地帯に設置されることを前提とした視線誘導灯がある（例えば、特許文献２参照）。
【先行技術文献】
【特許文献】
【０００３】
【特許文献１】特開２００３−４１５３３号公報
【０００４】
【特許文献２】特開２００３−１９３４３２号公報
【発明の概要】
【発明が解決しようとする課題】
【０００５】
しかしながら、特許文献２の視線誘導灯のように、下側のポールと、上側の透光フード（筒状ケース）とを繋ぎ合わせた構造を有する視線誘導灯では、積雪している状況において発光部（光源）を発光した場合、光源の熱によって上方へ向かって流れる空気の風路が形成され、水蒸気を多分に含む空気がポールを介して筒状ケース内に流入し、この水蒸気によって筒状ケース内が結露し、光源の光の視認性が低下する、という問題がある。
本発明は、上述した事情に鑑みてなされたものであり、積雪時に光源の光の視認性が低下することを防止した視線誘導灯を提供することを目的とする。
【課題を解決するための手段】
【０００６】
上記目的を達成するために、本発明は、地面から所定の高さ位置に設けれ、視線誘導のための光源を収めた筒状ケースを有し、この筒状ケースの上面に、水を透過させないフィルターが設けられた貫通孔を有する視線誘導灯において、前記筒状ケースの底部を仕切板で仕切り、前記仕切板に下部貫通孔を設け、前記貫通孔及び前記下部貫通孔のそれぞれに、水蒸気非透過性のフィルターを設けたことを特徴とする。
この構成によれば、ケース内において光源の放熱によって空気が加熱され、仕切板に設けられた下部貫通孔を介して、ケース内へ空気が流入すると共に、ケース内へ流入した空気は、ケースの上面に設けられた貫通孔を介してケース外へ流出する。ここで、貫通孔及び下部貫通光には、水蒸気非透過性のフィルターが設けられているため、ケース内に流入する空気は、水蒸気が除去された空気である。このため、積雪時、外気が水蒸気を多分に含んでいる場合であっても、ケース内に水蒸気が流入するのが防止され、ケース内で結露が発生することが防止され、これにより光源の光の視認性が低下することが防止される。
さらに、この構成によれば、ケース内に流入する空気によって光源を冷却した上で、上述したような光源の光の視認性の低下を防止することができ、光源の高寿命化を図ることができる。
さらに、この構成によれば、ケース内に水蒸気が流入することが防止されるため、水蒸気によって光源に悪影響が及ぶことを防止できる。
【０００７】
ここで、上記発明の視線誘導灯において、前記貫通孔の下方からずらした位置に、前記下部貫通孔を設けたようにしてもよい。
この構成によれば、ケース内において、ケース内を上方へ向かって直線的に流れる風路ではなく、下部貫通孔から貫通孔へ向けてケース内を上方へ向かってねじれつつ流れる風路が形成される。このため、ケース内を上方へ向かって直線的に流れる風路の場合と比較して、光源に接触する空気の量を増大することができ、これにより光源の冷却効率のさらなる向上を図ることができる。
【０００８】
また、上記発明の視線誘導灯において、前記筒状ケースを逆円錐形状としたようにしてもよい。
この構成によれば、ケースの下部を流れる空気の風速の方が、ケースの上部を流れる空気の風速よりも速くなり、ケースの傾斜に導かれて、下方に傾斜しながら、ケースの表面上を空気が流れる。そして、このケースの表面上を下方に傾斜しながら流れる空気によって、ケースに付着した雪が下方へ向かって削ぎ落とされる。これによりケースへの雪の付着が軽減され、光源の光の視認性が低下することを防止できる。
【０００９】
また、上記発明の視線誘導灯において、前記筒状ケースにおける前記光源の光の透過位置に対応する位置に、透光性を有すると共に、前記筒状ケースの外側へ向かって尖った尖端部を有し、上下方向に延在する雪割部を設けたようにしてもよい。
この構成によれば、ケースにおける光源の光の透過位置に対応する位置に向かって横向きに雪が降っている場合において、雪割部によって雪が粉砕され、ケースの表面に雪が付着し難くなる。さらに、雪割部によって外周に沿って空気が流れ、このケースの表面に沿って流れる空気によって、ケースの表面に付着した雪が削ぎ落とされる。これらにより、ケースの表面に雪が付着することを軽減し、光源部の光の視認性が低下することを防止できる。
【００１０】
また、上記発明の視線誘導灯において、前記筒状ケースの上方に、上面視において少なくとも前記筒状ケースを覆う傘部を設け、この傘部の下面に前記貫通孔から排出された空気を接触させるようにしてもよい。
この構成によれば、降雪時、傘部に雪が堆積することとなると共に、貫通孔から排出される光源によって加熱された暖かい空気によって傘部が暖められ、傘部に堆積した雪が溶ける。ここで、雪が溶けて生成された水は、ケースに接触することなく落下するため、雪が溶けて生成された水がケースに接触することに起因して光源の光の視認性が低下することを防止できる。
【００１１】
また、上記発明の視線誘導灯において、前記傘部が円錐形状であるようにしてもよい。
この構成によれば、傘部に雪が堆積することを防止した上で、視認性の低下を防止できる。
【００１２】
また、上記発明の視線誘導灯において、前記筒状ケースに、紫外線カット処理を施したようにしてもよい。
この構成によれば、ケースによって、このケースに収納された光源部に紫外線を含む外光が直接照射されることを防止できるため、光源部に紫外線による悪影響が及ぶことを防止できる。
【発明の効果】
【００１３】
本発明によれば、積雪時に光源の光の視認性が低下することを防止できる。
【図面の簡単な説明】
【００１４】
【図１】第１実施形態に係る視線誘導灯の正面図である。
【図２】視線誘導灯の左側面図である。
【図３】ケース、上部閉塞蓋及び下部閉塞蓋を模式的に示す図である。
【図４】第２実施形態に係る視線誘導灯を模式的に示す図である。
【図５】第３実施形態に係る視線誘導灯を模式的に示す図である。
【図６】第４実施形態に係る視線誘導灯を模式的に示す図である。
【発明を実施するための形態】
【００１５】
以下、図面を参照して本発明の実施形態について説明する。
＜第１実施形態＞
図１は本実施形態に係る視線誘導灯１Ａの正面図であり、図２は視線誘導灯１Ａに左側面図である。図１及び図２は、一部断面図となっている。
視線誘導灯１Ａは、例えば、道路に沿って間隔をあけて複数設けられ、当該道路を走行する車両の運転手に後述する光源部１０の光を視認させることにより、当該道路の形状を明示するものである。特に、本実施形態に係る視線誘導灯１Ａは、積雪地帯に設けられることが前提とされたものであり、積雪している状況下で、積雪に起因して光源部１０の光の視認性が低下することを防止している。
【００１６】
図１及び図２に示すように、視線誘導灯１Ａは、基礎部１１（図２では図示せず）と、この基礎部１１の上方に連結されたケース１２（筒状ケース）と、このケース１２に収納された視線誘導のための光源部１０とを備えている。
基礎部１１は、道路脇等の地面に立設されたポール１５の内部に嵌め込まれ固定される部材であり、正面視ロ字状に折り曲げて形成された基礎部材１６（図２では不図示）を備えている。この基礎部材１６の側面には、ＬＥＤ１７（後述）の駆動回路を含む電子機器１８が取り付けられており、この電子機器１８には、ポール１５の内部を上方へ向かって延びる電力供給ケーブル１９が接続される。
基礎部材１６の上下方向における中間のやや上方に、内側に向かって括れた括れ部２０が形成されており、この括れ部２０より上方の基礎部材１６に、円筒状の連結部２１がねじ止めにより固定されている。
【００１７】
この連結部２１は、基礎部材１６とケース１２とを連結することによりケース１２とポール１５とを連結するための部材であり、連結部２１がケース１２に挿入された状態で固定されることによって基礎部材１６とケース１２とが連結される。具体的には、ケース１２は上下方向に延びる円筒形状であり、その内周の形状が、連結部２１の外周の形状と略同一に形成されている。そして、ケース１２の内周に連結部２１の外周が接触した状態で、ケース１２に連結部２１が挿入され、これにより連結部２１に対してケース１２が固定される。連結部２１の外周には、外周に沿って形成された２つの溝部２２、２２が上下方向に間隔をあけて設けられており、これら溝部２２、２２には、弾力性を有するＯリング２３、２３が嵌め込まれており、これらＯリング２３、２３によってケース１２の内周と連結部２１の外周との接触部分における気密性が確保されている。詳述すると、Ｏリング２３、２３がケース１２の内周によって押しつけられて弾性変形した状態で、連結部２１がケース１２に挿入されており、このＯリング２３、２３によりケース１２の内周と連結部２１の外周との間の間隙が塞がれ、ケース１２の内周と連結部２１の外周との接触部分における気密性が確保されている。
ポール１５の上端には、リング部材２４が設けられており、このリング部材２４にケース１２の下端が接触するように、ケース１２は連結部２１に挿入される。
【００１８】
ケース１２は、透光性を有し、上下方向に延在する筒状の部材である。このケース１２の表面は、紫外線カット処理が施されている。例えば、ケース１２の表面には紫外線吸収機能を有するコーティング液が塗装され、また例えば、ケース１２の表面には紫外線反射機能を有するフィルターが貼られている。太陽光に含まれる紫外線がケース１２に収納された光源部１０に直接照射されることが防止されている。これにより、光源部１０が備えるＬＥＤ１７や、ケース１２自体に紫外線による悪影響が及ぶことが防止されている。特に、ＬＥＤ１７に対し照射される紫外線をカットすることにより、ＬＥＤ１７の経年劣化の軽減化を実現し、視線誘導灯１Ａの長寿命化を図っている。
【００１９】
図３は、ケース１２及び、このケース１２の上端開口を閉塞する上部閉塞蓋２６及びケース１２の下端開口を閉塞する下部閉塞蓋２７（仕切板）を模式的に示す図である。
ケース１２の内部において、連結部２１の上端には、連結部２１の上端開口を気密に仕切る下部閉塞蓋２７が設けられており、この下部閉塞蓋２７には、下部閉塞蓋２７を上下方向に貫通する２つの下部貫通孔２８（図３も併せて参照）が形成されており、下部貫通孔２８のそれぞれには、下部フィルター２９（図３も併せて参照）が設けられている。下部閉塞蓋２７は、ケース１２の底部に位置する連結部２１の上端開口を仕切ることによりケース１２とポール１５との連結部分を仕切っている。下部フィルター２９は、塵埃の他、水及び水蒸気を透過しない水蒸気非透過性のフィルターを備えて構成されており、この下部フィルター２９によって下部貫通孔２８を通る空気の塵埃や、水蒸気が除去される。下部フィルター２９は、例えば、塵埃と水を除去可能なフィルターと、シリカゲル等の乾燥剤を組み合わせて構成するようにしてもよい。下部フィルター２９は、下部貫通孔２８を通過する空気が漏れなくこの下部フィルター２９を通過するように下部貫通孔２８の全域を覆った状態で設けられている。
本実施形態では、上述したようにＯリング２３、２３によってケース１２の内周と連結部２１の外周との接触部分における気密性が確保されているため、ポール１５内の空気は、下部貫通孔２８を介してのみケース１２内へ流入する。
【００２０】
また、ケース１２の上端には、ケース１２の上端開口を気密に塞ぐ上部閉塞蓋２６が設けられており、この上部閉塞蓋２６には、上部閉塞蓋２６を上下方向に貫通する２つの上部貫通孔３０（貫通孔）（図３も併せて参照）が形成されており、上部貫通孔３０のそれぞれには、上部フィルター３１（図３）が設けられている。上部閉塞蓋２６は、ケース１２の上面を構成する。上部フィルター３１は、下部フィルター２９と同様、塵埃の他、水及び水蒸気非透過性のフィルターであり、上部貫通孔３０を透過する空気が漏れなくこの上部フィルター３１を通過するように上部貫通孔３０の全域を覆った状態で設けられている。ケース１２内の空気は、上部貫通孔３０を介して屋外へ排気される。
【００２１】
図３に示すように、下部貫通孔２８のそれぞれは、下部閉塞蓋２７において上部貫通孔３０の下方に対応する位置からずらした位置に形成されている。このため、詳細は後述するが、下部閉塞蓋２７を介してケース１２内に流入した空気によって、ケース１２内には、ケース１２内を上方へ向かって直線的に流れる風路ではなく、図３の矢印Ｙ１に示すように、ケース１２内を上方へ向かってねじれつつ流れる風路が形成される。
【００２２】
ケース１２の内部において、光源取付部３５が下部閉塞蓋２７にねじ止めによって固定されている。光源取付部３５は、ケース１２の内部において、光源部１０を固定、位置決めするための部材であり、平板状の部材である左取付部３６と右取付部３７が対向した状態で上下方向に延在している。これら左取付部３６と右取付部３７との間には、光源部１０が備える基板３８、及び、この基板３８の裏面側に基板３８と対向した状態で設けられる裏板３９を光源取付部３５に対してねじ止めするための上部ねじ受け部４０（図２）と、下部ねじ受け部４１（図２）が介在している。
【００２３】
光源取付部３５には、光源部１０が取り付けられている。光源部１０は、基板３８と、この基板３８にマトリクス状に配列されたＬＥＤ１７とを備えている。
基板３８は、高熱伝導性材から形成され、ＬＥＤ１７の発熱が基板３８を介して効率よく放熱される。基板３８は、上部ねじ受け部４０及び下部ねじ受け部４１にねじ止めされることによって光源取付部３５に固定される。
ＬＥＤ１７は、発光ダイオード素子が樹脂材等にモールドされてなる発光部４２と、この発光部４２を封止するエポキシ系樹脂等から形成された封止体とを備えている。ＬＥＤ１７には、図示せぬ電力供給線を介して駆動電力が供給される。
本実施形態では、光源部１０のＬＥＤ１７の光を車両の運転手に効果的、かつ、確実に視認させるべく、ＬＥＤ１７は、緑色、オレンジ色の２色に発光可能である。さらに、光源部１０のＬＥＤ１７の最大輝度は２５０００ｃｄ／ｍ２以上であり、半値角は１５度とされる。
基板３８の裏面側には、基板３８の熱を逃がすための空隙を介して、基板３８と対向した状態で裏板３９が設けられている。この裏板３９は、上部ねじ受け部４０及び下部ねじ受け部４１にねじ止めされることによって光源取付部３５に固定される。
【００２４】
ＬＥＤ１７の発光時、ＬＥＤ１７からの放熱によってケース１２の内部の空気が暖められる。これに起因して、ポール１５を通った後、下部閉塞蓋２７に形成された下部貫通孔２８から流入した空気が、ケース１２内を上方へ向かって流れ、上部閉塞蓋２６に形成された上部貫通孔３０から屋外へ排気されるという空気の風路が形成される。積雪時では、ポール１５を通る空気は、積雪によって水蒸気を多分に含んだ空気である。
【００２５】
ここで、本実施形態では、上述したように、Ｏリング２３、２３によってケース１２の内周と連結部２１の外周との接触部分における気密性が確保されているため、ケース１２には、下部貫通孔２８からのみ空気が流入する。下部貫通孔２８には、水蒸気非透過性の下部フィルター２９が設けられており、下部貫通孔２８を介してケース１２に流入する空気は、下部フィルター２９によって塵埃、水及び水蒸気が除去された空気である。従って、ケース１２の内部に流入する空気の塵埃によってケース１２の内周が汚れることや、ケース１２の内周に結露が発生することが防止され、これにより光源部１０の光の視認性が低下することが防止されている。
さらに、下部フィルター２９によって、ケース１２内に流入する空気から塵埃や水蒸気が除去されるため、塵埃や水蒸気によってＬＥＤ１７に対して悪影響が及ぶことが防止されている。
さらに、ＬＥＤ１７の発光時において、ケース１２内に流入した空気によってＬＥＤ１７が冷却されることとなる。これにより、ＬＥＤ１７が効率よく冷却され、ＬＥＤ１７の高寿命化が図られている。
特に、本実施形態では、ケース１２内において、ケース１２内を上方へ向かって直線的に流れる風路ではなく、ケース１２内を上方へ向かってねじれつつ流れる風路が形成される。このため、ケース１２内を上方へ向かって直線的に流れる風路の場合と比較して、ＬＥＤ１７に接触する空気の量を増大することができ、これによりＬＥＤ１７の冷却効率のさらなる向上を図ることができる。
【００２６】
ケース１２の上端開口を塞ぐ上部閉塞蓋２６の略中央には、上下方向に延在する円柱状の傘部取付部４５が設けられており、この傘部取付部４５には、傘部４６がねじ止めによって取り付けられている。
傘部４６は、断面コ字状の部材であり、ケース１２の上面を覆った状態で当該上面に対して平行に延在する円板状の傘天面部４７と、この傘天面部４７の外周から下方へ向かって延出した傘側面部４８とを備えている。図１に示すように、この傘天面部４７の径Ｋ１は、ケース１２の径Ｋ２よりも大きく、傘部４６は、上面視においてケース１２を覆った状態となる。傘天面部４７、傘側面部４８及び上部閉塞蓋２６とで囲まれた箇所に空間４９が形成されると共に、傘側面部４８の下端４８ａと、上部閉塞蓋２６との間には、隙間５０が形成されている。
【００２７】
この傘部４６は、降雪時において、視線誘導灯１Ａの天面に堆積した雪が溶け出してケース１２の外周を流れ、このケース１２の外周を流れる水によって降雪時に光源部１０の光の視認性が低下することを防止するものである。
詳述すると、降雪時に下方向へ降る雪は、図１に符号５１で示すように、傘天面部４７の上面に堆積する。ここで、空間４９には、上部閉塞蓋２６に形成された上部貫通孔３０からＬＥＤ１７の放熱によって加熱された空気が流入し、この空間４９に流入した空気は、隙間５０を介して屋外へ排気される（図１の矢印Ｙ２参照）。このため、ケース１２から空間４９内へ流入する暖かい空気によって傘部４６が加熱され、傘天面部４７の上面に堆積した雪が溶け出す。溶け出した雪は、傘部４６の傘側面部４８に沿って流れ、図１において符号５２で示すように、傘側面部４８の下端４８ａから鉛直下方へ向かって水滴となって落下する。上述したように、傘天面部４７の径Ｋ１は、ケース１２の径Ｋ２よりも大きいため、傘側面部４８の下端４８ａから鉛直下方へ向かって落下する水滴は、ケース１２の外周に接触することなく落下する。このように視線誘導灯１Ａの天面に堆積した雪が、溶け出してケース１２の外周を流れることにより、光源部１０の光の視認性が低下することが防止される。
なお、本実施形態では、傘側面部４８の下端４８ａと、上部閉塞蓋２６との間に隙間５０が形成され、上部貫通孔３０から上方へ向かって吹き出された空気は、空間４９に滞留することなく隙間５０を介して屋外へ排気される。このため、空間４９に空気が滞留することに起因して、上部貫通孔３０からの空気の流出が阻害され、これによりケース１２内の空気の流通が阻害されることが防止されている。
【００２８】
以上説明したように、本実施形態に係る視線誘導灯１Ａは、地面に立設されたポール１５の上部に、視線誘導のための光源部１０を収めたケース１２を連結して構成さており、ケース１２の上面を構成する上部閉塞蓋２６に上部貫通孔３０が形成されている。そして、ポール１５とケース１２の連結部分を下部閉塞蓋２７で仕切り、下部閉塞蓋２７に下部貫通孔２８を設け、上部貫通孔３０及び下部貫通孔２８のそれぞれに、水蒸気非透過性の上部フィルター３１、下部フィルター２９を設けた。
これによれば、ケース１２内において光源部１０の放熱によって空気が加熱され、ケース１２の外部であるポール１５から下部貫通孔２８を介して空気が流入すると共に、ケース１２内へ流入した空気が上部貫通孔３０を介してケース１２の外部である屋外へ流出する。ここで、下部貫通孔２８には、水蒸気非透過性の下部フィルター２９が設けられている。このため、積雪時、外気が水蒸気を多分に含んでいる場合であっても、ケース１２内に水蒸気が流入するのが防止され、これによりケース１２内で結露が発生することが防止され、光源部１０の光の視認性が低下することが防止される。
特に、ケース１２内に流入する空気によって光源部１０のＬＥＤ１７を冷却した上で、上述したような光源の光の視認性の低下を防止することができ、ＬＥＤ１７の高寿命化を同時に達成することができる。
さらに、ケース１２内に水蒸気が流入することが防止されるため、水蒸気によって光源部１０に悪影響が及ぶことを防止できる。
【００２９】
また、本実施形態では、ケース１２は、上部貫通孔３０の下方からずらした位置に下部貫通孔２８を設けている。
これによれば、ケース１２内において、ケース１２内を上方へ向かって直線的に流れる風路ではなく、下部貫通孔２８から上部貫通孔３０へ向けてケース内を上方へ向かってねじれつつ流れる風路が形成される。このため、ケース１２内を上方へ向かって直線的に流れる風路の場合と比較して、光源部１０に接触する空気の量を増大することができ、これにより光源の冷却効率のさらなる向上を図ることができる。
【００３０】
また、本実施形態では、ケース１２の上方に、上面視において少なくともケース１２を覆う傘部４６を設け、この傘部４６の下面に上部貫通孔３０から排出される空気が接触するようにケース１２に上部貫通孔３０が形成されている。
これによれば、降雪時、傘部４６に雪が堆積することとなると共に、上部貫通孔３０から排出される光源部１０によって加熱された暖かい空気によって傘部４６が暖められ、傘部４６に堆積した雪が溶け出すこととなる。ここで、雪が溶けて生成された水は、ケース１２に接触することなく落下するため、雪が溶けて生成された水がケース１２に接触することに起因して光源部１０の光の視認性が低下することを防止できる。
【００３１】
＜第２実施形態＞
次いで、第２実施形態について説明する。
図４は、本実施形態に係る視線誘導灯１Ｂを説明するため、視線誘導灯１Ｂの右側面図を模式的に示す図である。なお、図４において第１実施形態で説明した構成要素と同一の構成要素については同一の符号を付し、その説明を省略する。
本実施形態に係る視線誘導灯１Ｂは、傘部４６ｂの形状が円錐形状である点が、上述した第１実施形態と異なっている。
傘部４６ｂは、内部に空洞が形成された円錐形状の円錐部５５を備えており、この円錐部５５の下面と、上部閉塞蓋２６との間には、空間５６が形成されている。図４（Ａ）に示すように、円錐部５５の水平方向に対する傾斜角度Ｍは、２０〜５０度である。円錐部５５の下面の径Ｋ３は、ケース１２の径Ｋ２よりも大きい。また、円錐部５５の下端５５ａと、上部閉塞蓋２６との間には、隙間５７が形成されている。上部閉塞蓋２６に形成された上部貫通孔３０から上方へ向かって吹き出された空気は、図４（Ａ）の矢印Ｙ３に示すように、空間５６に流入した後、隙間５７を介して屋外へ排気される。
【００３２】
このように傘部４６ｂが円錐形状であるため、降雪時において、図４（Ｂ）に示すように、傘部４６ｂに降った雪は、円錐部５５の上面の傾斜に応じて、円錐部５５の上面を斜め下方へ向かって滑る（図４（Ｂ）の矢印Ｙ４参照）。ここで、傘部４６ｂは、第１実施形態と同様、上部貫通孔３０から吹き出された空気によって加熱される。このため、傘部４６ｂに堆積した雪は、円錐部５５の上面を滑っていく過程で溶け、図４（Ｂ）に示すように、水滴となって円錐部５５の下端５５ａから落下する。上述したように、円錐部５５の下面の径Ｋ３は、ケース１２の径Ｋ２よりも大きいため、円錐部５５の下端５５ａから鉛直下方へ向かって落下する水滴は、ケース１２の外周に接触することなく落下する。これにより、視線誘導灯１Ｂの天面に降った雪が溶けて生成された水がケース１２の外周を流れることにより光源部１０の光の視認性が低下することが防止される。
【００３３】
以上説明したように、本実施形態に係る視線誘導灯１Ｂは、傘部４６ｂが円錐形状である。
これによれば、傘部４６ｂに雪が堆積することを防止した上で、視認性の低下を防止できる。
【００３４】
＜第３実施形態＞
次いで第３実施形態について説明する。
図５は、本実施形態に係る視線誘導灯１Ｃを説明するため、視線誘導灯１Ｃの右側面図を模式的に示す図である。なお、図５において第１実施形態で説明した構成要素と同一の構成要素については同一の符号を付し、その説明を省略する。
本実施形態に係る視線誘導灯１Ｃは、ケース１２ｂの形状が円柱形状ではなく逆円錐形状である点が、上述した第１実施形態と異なっている。
ここで、暴風雪時において、図５の矢印Ｙ５に示すように、ケース１２ｂの前面、すなわち、ケース１２ｂにおける光源部１０の光の透過面（以下「透過面」という）に向かうように、横向きに雪が降っている状況を想定する。このような状況下では、ケース１２ｂの透過面に、雪が付着してしまい、光源部１０の光の視認性が低下してしまうことが考えられる。これを踏まえ、本実施形態では、暴風雪時であって、ケース１２ｂの透過面に向かって横向きに雪が降っている状況において、ケース１２ｂの透過面に雪が付着することを軽減し、光源部１０の光の視認性の低下を防止している。
【００３５】
具体的には、図５に示すように、ケース１２ｂが逆円錐形状であり、上下方向に対する傾斜角度αが５〜２０度の範囲（本実施形態では１５度）となっている。このようにケース１２ｂが逆円錐形状を有しているため、上述したような暴風雪時、ケース１２ｂの下部を流れる空気の風速の方が、ケース１２ｂの上部を流れる空気の風速よりも速くなり、ケース１２ｂの傾斜に導かれて、図５の矢印Ｙ６に示すように、背面側へ向かって下方に傾斜しながら、ケース１２ｂの表面上を空気が流れる。そして、このケース１２ｂの表面上を背面側へ向かって下方に傾斜しながら流れる空気によって、ケース１２ｂに付着した雪が下方へ向かって削ぎ落とされる。これによりケース１２ｂへの雪の付着が軽減され、光源部１０の光の視認性が低下してしまうことが防止されている。
さらに、ケース１２ｂが逆円錐形状であるため、円柱形状や円錐形状である場合と比較して、ケース１２ｂに付着した雪が自身の重さによって落下しやすく、これによってもケース１２ｂへの雪の付着が軽減されている。
【００３６】
以上説明したように、本実施形態に係る視線誘導灯１Ｃのケース１２ｂは逆円錐形状である。
この構成によれば、ケース１２ｂの下部を流れる空気の風速の方が、ケース１２ｂの上部を流れる空気の風速よりも速くなり、ケース１２ｂの傾斜に導かれて、下方に傾斜しながら、ケース１２ｂの表面上を空気が流れる。そして、このケース１２ｂの表面上を下方に傾斜しながら流れる空気によって、ケース１２ｂに付着した雪が下方へ向かって削ぎ落とされる。これによりケース１２ｂへの雪の付着が軽減され、光源部１０の光の視認性が低下することを防止できる。
【００３７】
＜第４実施形態＞
次いで、第４実施形態について説明する。
図６は、本実施形態に係る視線誘導灯１Ｄを説明するため、視線誘導灯１Ｄの平面図及び右側面図を模式的に示す図である。なお、図６において第１実施形態で説明した構成要素と同一の構成要素については同一の符号を付し、その説明を省略する。
図６に示すように、第４実施形態に係る視線誘導灯１Ｄでは、上述したケース１２の透過面の外側に、雪割部６０が設けられている。この雪割部６０は、透光性を有する上面視三角形の部材が、少なくとも光源部１０の発光面の上下方向の全域を超えてケース１２の上下方向に延在している。雪割部６０の外側へ向かった尖端には、尖端部６１が形成されている。この尖端部６１の角度βは、１０〜３０度という比較的鋭い角度に設定されている。
【００３８】
本実施形態に係る視線誘導灯１Ｄは、上述した第３実施形態と同様、ケース１２の透過面に向かって横向きに雪が降っている状況下において、ケース１２の透過面に雪が付着してしまい、光源部１０の光の視認性が低下してしまうことを防止している。
具体的には、上記のような状況において、ケース１２の透過面に向かって降る雪は、雪割部６０の尖端部６１に接触し、この鋭く尖った尖端部６１によって粉砕される。これにより、固まりのままの雪がケース１２に接触する場合と比較して、雪がケース１２に付着し難くなる。特に、ケース１２の透過面に向かって、雪の塊である雪塊が降ってきた場合、雪割部６０の尖端部６１に雪塊が接触し、この尖端部６１によって雪塊が粉砕され、雪塊がケース１２に付着することが防止される。
さらに、図６の矢印Ｙ７に示すように、雪割部６０の傾斜に導かれて、ケース１２の外周に沿って流れる空気の風路が形成される。このケース１２の外周に沿って流れる空気によって、既にケース１２に付着している空気が削ぎ落とされ、ケース１２の透過面への雪の付着が防止される。
【００３９】
以上説明したように、本実施形態では、視線誘導灯１Ｄのケース１２における光源部１０の光の透過位置に対応する位置に、透光性を有すると共に、ケース１２の外側へ向かって尖った尖端部６１を有し、上下方向に延在する雪割部６０を設けている。
この構成によれば、ケース１２における光源の光の透過位置に対応する位置に向かって横向きに雪が降っている場合において、雪割部６０によって雪が粉砕され、ケース１２の表面に雪が付着し難くなる。さらに、雪割部６０によって外周に沿って空気が流れ、このケース１２の表面に沿って流れる空気によって、ケース１２の表面に付着した雪が削ぎ落とされる。これらにより、ケース１２の表面に雪が付着することを軽減し、光源部１０の光の視認性が低下することを防止できる。
【００４０】
なお、上述した実施の形態は、あくまでも本発明の一態様を示すものであり、本発明の範囲内で任意に変形および応用が可能である。
例えば、上述した各実施形態では、ケース１２、１２ｂは、ポール１５に連結されていたが、ケース１２、１２ｂは、ボール１５に連結されるものに限らず、中央分離帯や、ガードレール等の所定の位置に嵌め込まれて連結されるものであってもよい。すなわち、ケース１２、１２ｂは、地面から所定の高さ位置に設けられるものであればよい。
また、上述した各実施形態では、光源にＬＥＤ１７を利用していたが、これに限らず、光源に例えば水銀ランプや、高圧ナトリウムランプ等を用いるようにしてもよい。
【符号の説明】
【００４１】
１Ａ、１Ｂ、１Ｃ、１Ｄ  視線誘導灯
１０  光源部（光源）
１２、１２ｂ  ケース（筒状ケース）
２７  下部閉塞蓋
２８  下部貫通孔
２９  下部フィルター（フィルター）
３０  上部貫通孔（貫通光）
３１  上部フィルター（フィルター）
４６、４６ｂ  傘部
６０  雪割部
６１  尖端部
【図１】
2010248809.tif 000003
【図２】
2010248809.tif 000004
【図３】
2010248809.tif 000005
【図４】
2010248809.tif 000006
【図５】
2010248809.tif 000007
【図６】
2010248809.tif 000008